(57)【要約】【課題】駆動されるための消費電力を抑えることができるプラズマディスプレイパネルを提供する。【解決手段】プラズマディスプレイパネル２００は、複数の多角形プラズマパイプ２３０ａ，・・・と、第１電極２１１と、第２電極２２２とを備える。各多角形プラズマパイプ２３０ａ，・・・は、断面形状が多角形である。各多角形プラズマパイプ２３０ａ，・・・は、蛍光体２２３ａ，・・・が内側に形成されている。各多角形プラズマパイプ２３０ａ，・・・は、互いに略平行に並んでいる。第１電極２１１は、各多角形プラズマパイプ２３０ａ，・・・の長手方向に略垂直に延びている。第２電極２２２は、第１電極２１１に略垂直な方向であって各多角形プラズマパイプ２３０ａ，・・・の長手方向に略並行な方向に延びている。【選択図】図３
2006093139.tif 000002
【特許請求の範囲】
【請求項１】
断面形状が多角形であり、蛍光体が内側に形成され、互いに略平行に並んでいる複数の多角形プラズマパイプと、
各前記多角形プラズマパイプの長手方向に略垂直に延びている第１電極と、
前記第１電極に略垂直な方向であって各前記多角形プラズマパイプの長手方向に略並行な方向に延びている第２電極と、
を備えた、
プラズマディスプレイパネル。
【請求項２】
各前記多角形プラズマパイプは、断面形状が四角形である、
請求項１に記載のプラズマディスプレイパネル。
【請求項３】
各前記多角形プラズマパイプは、互いに面接触で結合されている、
請求項１に記載のプラズマディスプレイパネル。
【請求項４】
各前記多角形プラズマパイプは、断面積の大きさが互いに略等しく、
前記複数の多角形プラズマパイプは、
第１量の蛍光体が内側に形成された１以上の第１多角形プラズマパイプと、
前記第１量より多い量である第２量の蛍光体が内側に形成された１以上の第２多角形プラズマパイプと、
を有する、
請求項１に記載のプラズマディスプレイパネル。
【請求項５】
前記第２多角形プラズマパイプの蛍光体は、青色蛍光体である、
請求項４に記載のプラズマディスプレイパネル。
【請求項６】
前記複数の多角形プラズマパイプは、
１以上の第３多角形プラズマパイプと、
前記第３多角形プラズマパイプより断面積が大きい１以上の第４多角形プラズマパイプと、
を有する、
請求項１に記載のプラズマディスプレイパネル。
【請求項７】
前記第４多角形プラズマパイプの蛍光体の量は、前記第３多角形プラズマパイプの蛍光体の量より多い、
請求項６に記載のプラズマディスプレイパネル。
【請求項８】
前記第４多角形プラズマパイプの蛍光体は、青色蛍光体である、
請求項７に記載のプラズマディスプレイパネル。
【請求項９】
断面形状が多角形であり、内側に形成された蛍光体の種類によって断面積の大きさが違い、互いに略平行に並んでいる複数の多角形プラズマパイプと、
各前記多角形プラズマパイプの長手方向に略垂直に延びている第１電極と、
前記第１電極に略垂直な方向であって各前記多角形プラズマパイプの長手方向に略平行な方向に延びている第２電極と、
を備えた、
プラズマディスプレイパネル。
【請求項１０】
前記複数の多角形プラズマパイプは、
１以上の第３多角形プラズマパイプと、
前記第３多角形プラズマパイプより断面積が大きい１以上の第４多角形プラズマパイプと、
を有する、
請求項９に記載のプラズマディスプレイパネル。
【請求項１１】
前記複数の多角形プラズマパイプは、
１以上の第５多角形プラズマパイプと、
前記第５多角形プラズマパイプより断面積が大きい１以上の第６多角形プラズマパイプと、
を有し、
前記第６多角形プラズマパイプの蛍光体は、青色蛍光体である、
請求項９に記載のプラズマディスプレイパネル。
【請求項１２】
前記第６多角形プラズマパイプの断面において前記第１電極に略平行な方向の幅は、前記第５多角形プラズマパイプの断面において前記第１電極に略平行な方向の幅よりも広い、
請求項１１に記載のプラズマディスプレイパネル。
【請求項１３】
各前記多角形プラズマパイプは、互いに面接触で結合されている、
請求項９に記載のプラズマディスプレイパネル。
【請求項１４】
断面形状が多角形であり、青色蛍光体が内側に形成された１以上の第２多角形プラズマパイプと、
断面形状が多角形であり、前記青色蛍光体と違う種類の蛍光体が内側に形成されており、前記第２多角形プラズマパイプに略平行に並んでおり、前記第２多角形プラズマパイプより断面積が小さい１以上の第１多角形プラズマパイプと、
前記第１多角形プラズマパイプ及び前記第２多角形プラズマパイプの長手方向に略垂直に延びている第１電極と、
前記第１電極に略垂直な方向であって前記第１多角形プラズマパイプ及び前記第２多角形プラズマパイプの長手方向に略並行な方向に延びている第２電極と、
を備えた、
プラズマディスプレイパネル。
【請求項１５】
前記第２多角形プラズマパイプの断面において前記第１電極に平行な方向の幅は、前記第１多角形プラズマパイプの断面において前記第１電極に平行な方向の幅より広い、
請求項１４に記載のプラズマディスプレイパネル。
【発明の詳細な説明】
【技術分野】
【０００１】
本発明は、プラズマディスプレイパネルに関し、より詳しくはプラズマパイプを含むプラズマディスプレイパネルに関する。
【背景技術】
【０００２】
プラズマディスプレイパネルでは、 前面基板と背面基板の間に形成された隔壁によって形成される単位セル内部に入っているヘリウム-キセノン（Ｈｅ−Ｘｅ）やヘリウム-ネオン（Ｈｅ−Ｎｅ）などのような不活性ガスが高周波電圧によって放電する時に真空紫外線（Ｖａｃｕｕｍ  Ｕｌｔｒａｖｉｏｌｅｔ  ｒａｙｓ）を発生させ、その真空紫外線が蛍光体に当たると発光することを利用して画像を表示するようになっている。
【０００３】
図１は一般的なプラズマディスプレイパネルの構造を概略的に示す斜視図である。図１に示すように、一般的なプラズマディスプレイパネル１は、前面ガラス基板１０と背面ガラス基板２０とを備える。前面ガラス基板１０は、表示面を有している。表示面は、画像が表示される面（図１における前面ガラス基板１０の上面）である。背面ガラス基板２０は、前面ガラス基板１０と対向しており、表示面と略平行な背面（図１における背面ガラス基板２０の下面）を有する。前面ガラス基板１０と背面ガラス基板２０とは、所定間隔で略平行に延びている。
【０００４】
前面ガラス基板１０は、維持電極（１１、１２）、上部誘電体層１３ａ及び保護層１４を有する。維持電極（１１、１２）は、表示面に略平行に延びている。維持電極１１と維持電極１２とは、相互放電によってセルの発光を維持するために対を成して形成されている。維持電極（１１、１２）は、透明電極（１１ａ、１２ａ）とバス電極（１１ｂ、１２ｂ）とを有する。透明電極（１１ａ、１２ａ）は、透明な導電性材料であるＩＴＯ（Ｉｎｄｉｕｍ  Ｔｉｎ  Ｏｘｉｄｅ）で形成されている。バス電極（１１ｂ、１２ｂ）は、金属材料で形成されている。
【０００５】
維持電極（１１、１２）の上には、上部誘電体層１３ａ及び保護層１４がさらに積層されている。上部誘電体層１３ａは、維持電極（１１、１２）を覆うように延びており、壁電荷を形成するとともに、プラズマ放電時にイオン衝撃から維持電極（１１、１２）を保護する。保護層１４は、上部誘電体層１３ａを覆うように形成されており、プラズマ放電の時に起こるおそれのあるスパッタリング（ｓｐｕｔｔｅｒｉｎｇ）による上部誘電体層１３ａの損傷を防止して、二次電子の放出效率を高める。保護層１４は、酸化マグネシウム（ＭｇＯ）で形成されている。
【０００６】
一方、背面ガラス基板２０は、複数のアドレス電極２２、隔壁２１及び下部誘電体層１３ｂを有する。各アドレス電極２２は、背面に略並行であって維持電極（１１、１２）と略垂直に方向に延びており、投影した場合に維持電極（１１、１２）と交差する部分（放電セル）でアドレス放電を行うことができるようになっている。隔壁２１は、アドレス電極２２と略平行に延びており、放電によって生成された紫外線及び可視光が隣接した放電セルに漏洩することを防止する。
【０００７】
下部誘電体層１３ｂは、その下のアドレス電極２２を覆うように形成されており、その上の隔壁２１を支持している。隔壁２１が互いに対向している面（図１における隔壁２１の左右の面）と、下部誘電体層１３ｂが前面ガラス基板１０に向く面（図１における下部誘電体層１３ｂの上面）とには、Ｒ、Ｇ、Ｂ蛍光層２３が画像表示のために塗布されている。
【発明の開示】
【発明が解決しようとする課題】
【０００８】
このような構造を持つ一般的なプラズマディスプレイパネル１の動作原理をよく見れば、対を成した維持電極（１１、１２）中一つの電極に放電開始電圧が供給されて、アドレス電極２２にアドレス信号が供給されて、放電セルの内部に書き込みのためのプラズマ放電が起きる。
【０００９】
すなわち、放電セルの内部で電界が発生することにより放電ガス中の微量電子が加速されて、放電ガス中で加速された微量電子が放電ガス中の中性粒子に衝突して、その中性粒子が電子とイオンとに電離される。電離された電子は、さらに別の中性粒子に衝突していく。このように、中性粒子が徐々に早い速度で電子とイオンとに電離されて放電ガスがプラズマ状態になり、上部誘電体層１３ａと保護層１４との表面で面放電が起きながら真空紫外線が発生するようになる。
【００１０】
このような真空紫外線は、隔壁２１や下部誘電体層１３ｂに塗布されている蛍光層２３を励起させることにより可視光線を発生させる。その可視光線は、前面ガラス基板１０を通過して放出されることで、Ｒ、Ｇ、Ｂのカラーが表示される。
【００１１】
このように動作する一般的なプラズマディスプレイパネル１は、一定の大きさ以上に大型化されるのに限界がある。すなわち、プラズマディスプレイパネル１が１００インチ以上になるためには、前面ガラス基板１０や背面ガラス基板２０が１００インチ以上に形成されなければならない。しかし、前面ガラス基板１０や背面ガラス基板２０が１００インチ以上に形成されることは技術的に難しい。
【００１２】
一方、図２ａと図２ｂとは、従来のプラズマディスプレイパネルの構造図である。図２ａに示すように、従来のプラズマディスプレイパネル１００は、複数のプラズマパイプ(１３０ａ、１３０ｂ、１３０ｃ)、第１パネル１１０及び第２パネル１２０を備える。各プラズマパイプ(１３０ａ、１３０ｂ、１３０ｃ)は、第１パネル１１０と第２パネル１２０の間に挿入される。各プラズマパイプ(１３０ａ、１３０ｂ、１３０ｃ)は、それぞれ、蛍光体（赤色（Ｒ）蛍光体１２３ａ，緑色（Ｇ）蛍光体１２３ｂ，青色（Ｂ）蛍光体１２３ｃ）を取り囲んでいる。第１パネル１１０には、サステイン電極１１１が形成されている。サステイン電極１１１は、放電維持電圧によって放電を維持させる。第２パネル１２０には、アドレス電極１２２が形成されている。アドレス電極１２２は、アドレス放電を起こす。ここで、プラズマパイプ(１３０ａ、１３０ｂ、１３０ｃ)は、直径が約１ｍｍで形成することができ、長さが約１ｍ〜約３ｍの範囲で形成することができる。 したがって、従来のプラズマディスプレイパネル１００は、一般的なプラズマディスプレイパネル１に比べて、容易に大型化することができるようになっている。
【００１３】
各プラズマパイプ１３０ａ，・・・は、図２ｂに示すように、保護膜２２０を介して、蛍光体１２３ａ，・・・を取り囲んでいる。また、プラズマパイプ１３０ａ，・・・の内側には、ヘリウム-キセノン（Ｈｅ−Ｘｅ）やヘリウム-ネオン（Ｈｅ−Ｎｅ）などのような不活性ガスが注入されている。保護膜２２０は、プラズマ放電が行われやすくするためのものであり、酸化マグネシウム（ＭｇＯ）で形成されている。また、サステイン電極１１１とアドレス電極１２２とはプラズマパイプ１３０に接触して結合されている。サステイン電極１１１とアドレス電極１２２とによって発生した真空紫外線により、プラズマパイプ１３０ａ，・・・に取り囲まれた蛍光体１２３ａ，・・・が励起されて、蛍光体１２３ａ，・・・が発光する。
【００１４】
しかし、各プラズマパイプ１３０ａ，・・・は、図２ａに示すように、円筒状構造になっているので、サステイン電極１１１やアドレス電極１２２との接触面積が小さい。したがって、プラズマディスプレイパネル１００は、駆動されるのに必要な放電開始電圧が高くなる傾向にあり、駆動されるための消費電力が高くなる傾向にある。
【００１５】
また、各プラズマパイプ１３０ａ，・・・は、互いに略並行に配列される際に、隣接するプラズマパイプ１３０ｂ，・・・との接触面積が小さくなるので、隣接するプラズマパイプ１３０ｂ，・・・と十分な強度で結合することが困難な傾向にある。
【００１６】
さらに、各プラズマパイプ１３０ａ，・・・は、図２ｂに示すように、互いに断面積が略等しく、蛍光体１２３ａ，・・・の面積（幅）も略等しく形成される傾向にある。これにより、青色蛍光体１２３ｃの発光効率が少ないことに起因して色温度が低くなる（赤色の方に偏る）恐れがある。
【００１７】
本発明の目的は、駆動されるための消費電力を抑えることができるプラズマディスプレイパネルを提供することにある。
【課題を解決するための手段】
【００１８】
第１発明に係るプラズマディスプレイパネルは、複数の多角形プラズマパイプと、第１電極と、第２電極とを備える。各多角形プラズマパイプは、断面形状が多角形である。各多角形プラズマパイプは、蛍光体が内側に形成されている。各多角形プラズマパイプは、互いに略平行に並んでいる。第１電極は、各多角形プラズマパイプの長手方向に略垂直に延びている。第２電極は、第１電極に略垂直な方向であって各多角形プラズマパイプの長手方向に略並行な方向に延びている。
【００１９】
このプラズマディスプレイパネルでは、各多角形プラズマパイプの断面形状が多角形であるので、第１電極及び第２電極の少なくとも一方と、多角形プラズマパイプとの接触面積を大きくすることができる。
【００２０】
このように、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。
【００２１】
第９発明に係るプラズマディスプレイパネルは、複数の多角形プラズマパイプと、第１電極と、第２電極とを備える。各多角形プラズマパイプは、断面形状が多角形である。各多角形プラズマパイプは、内側に形成された蛍光体の種類によって断面積の大きさが違う。各多角形プラズマパイプは、互いに略平行に並んでいる。第１電極は、各多角形プラズマパイプの長手方向に略垂直に延びている。第２電極は、第１電極に略垂直な方向であって各多角形プラズマパイプの長手方向に略平行な方向に延びている。
【００２２】
このプラズマディスプレイパネルでは、各多角形プラズマパイプの断面形状が多角形であるので、第１電極及び第２電極の少なくとも一方と、多角形プラズマパイプとの接触面積を大きくすることができる。
【００２３】
また、各多角形プラズマパイプは、内側に形成された蛍光体の種類によって断面積の大きさが違う。これにより、発光効率が少ない蛍光体が内側に形成された多角形プラズマパイプの断面積を大きくすることができるので、発光効率が少ない蛍光体の量を発光効率が多い蛍光体の量よりも多くすることができる。
【００２４】
このように、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。また、発光効率が少ない蛍光体の量を発光効率が多い蛍光体の量よりも多くすることができるので、色温度の低下を抑制することができ、色温度を適切なものとすることができる。
【００２５】
第１４発明に係るプラズマディスプレイパネルは、１以上の第２多角形プラズマパイプと、１以上の第１多角形プラズマパイプと、第１電極と、第２電極とを備える。第２多角形プラズマパイプは、断面形状が多角形である。第２多角形プラズマパイプは、青色蛍光体が内側に形成されている。第１多角形プラズマパイプは、断面形状が多角形である。第１多角形プラズマパイプは、青色蛍光体と違う種類の蛍光体が内側に形成されている。第１多角形プラズマパイプは、第２多角形プラズマパイプに略平行に並んでいる。第１多角形プラズマパイプは、第２多角形プラズマパイプより断面積が小さい。第１電極は、第１多角形プラズマパイプ及び第２多角形プラズマパイプの長手方向に略垂直に延びている。第２電極は、第１電極に略垂直な方向であって第１多角形プラズマパイプ及び第２多角形プラズマパイプの長手方向に略並行な方向に延びている。
【００２６】
このプラズマディスプレイパネルでは、第１多角形プラズマパイプの断面形状が多角形であるので、第１電極及び第２電極の少なくとも一方と、第１多角形プラズマパイプとの接触面積を大きくすることができる。同様に、第２多角形プラズマパイプの断面形状が多角形であるので、第１電極及び第２電極の少なくとも一方と、第２多角形プラズマパイプとの接触面積を大きくすることができる。
【００２７】
また、発光効率が少ない青色蛍光体が内側に形成された第２多角形プラズマパイプの断面積は、青色蛍光体と違う種類の蛍光体が内側に形成されている第１多角形プラズマパイプの断面積よりも大きい。これにより、発光効率が少ない青色蛍光体の量を、発光効率が多い他の種類の蛍光体の量よりも多くすることができる。
【００２８】
このように、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。また、発光効率が少ない青色蛍光体の量を発光効率が多い他の種類の蛍光体の量よりも多くすることができるので、色温度の低下を抑制することができ、色温度を適切なものとすることができる。
【発明の効果】
【００２９】
第１発明に係るプラズマディスプレイパネルでは、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。
【００３０】
第９発明に係るプラズマディスプレイパネルでは、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。また、発光効率が少ない蛍光体の量を発光効率が多い蛍光体の量よりも多くすることができるので、色温度の低下を抑制することができ、色温度を適切なものとすることができる。
【００３１】
第１４発明に係るプラズマディスプレイパネルでは、第１電極及び第２電極の少なくとも一方と、多角形プラズマパイプとの接触面積を大きくすることができるので、駆動されるのに必要な放電開始電圧を低くすることができ、駆動されるための消費電力を低くすることができる。また、発光効率が少ない青色蛍光体の量を発光効率が多い他の種類の蛍光体の量よりも多くすることができるので、色温度の低下を抑制することができ、色温度を適切なものとすることができる。
【発明を実施するための最良の形態】
【００３２】
以下、本発明による具体的な実施形態を添付された図面を参照して説明する。
【００３３】
＜第１実施形態＞
本発明の第１実施形態に係るプラズマディスプレイパネルを、図３，図４を参照して説明する。
【００３４】
図４は本発明の第１実施形態に係るプラズマディスプレイパネルの構造を示す図であり、図３は本発明の第１実施形態における多角形プラズマパイプの構造を示す図である。プラズマディスプレイパネル２００は、図３，図４に示すように、主として、複数の多角形プラズマパイプ(２３０ａ、２３０ｂ、２３０ｃ)、第１電極２１１及び第２電極２２２を備える。各多角形プラズマパイプ(２３０ａ、２３０ｂ、２３０ｃ)は、第１パネル２１０と第２パネル２２０との間に挿入される。第１電極２１１は、第１パネル２１０において、表示面に略平衡に延びるように形成されている。表示面は、画像が表示される面であり、図４における第１パネル２１０の後ろ側の面である。すなわち、図３における第１電極２１１の上面と図４における第１パネル２１０の後ろ側の面とは略平行になる。第２電極２２２は、第２パネル２２０において、背面に略平衡に延びるように形成されている。背面は、表示面と略平行であり、図４における第２パネル２２０の手前側の面である。すなわち、図３における第２電極２２２の下面と図４における第２パネル２２０の手前側の面とは略平行になる。
【００３５】
図３に示すように、
各多角形プラズマパイプ２３０ａ，・・・は、その内側に蛍光体２２３ａ，・・・が形成されている。ここで、各多角形プラズマパイプ２３０ａ，・・・の断面形状は、四角形であることが望ましい。多角形プラズマパイプ２３０ａ，・・・は、その内面全体に保護膜２２１が形成されている。保護膜２２０は、プラズマ放電が行われやすくするためのものであり、酸化マグネシウム（ＭｇＯ）で形成されている。蛍光体２２３ａ，・・・は、多角形プラズマパイプ２３０ａ，・・・の内側において、保護膜２２１の上に形成される。すなわち、蛍光体２２３ａ，・・・は、保護膜２２１に沿って、図３における多角形プラズマパイプ２３０ａ，・・・の下面に略並行であって図３の紙面に略垂直な方向に延びるとともに、図３における多角形プラズマパイプ２３０ａ，・・・の下面両端付近から第１電極２１１へ向かう方向へ延びている。蛍光体２２３ａ，・・・は、多角形プラズマパイプ２３０ａ，・・・の長手方向に略垂直な断面の形状がチャネル形状である。また、多角形プラズマパイプ２３０ａ，・・・の内側にはヘリウム-キセノン（Ｈｅ−Ｘｅ）、ヘリウム-ネオン（Ｈｅ−Ｎｅ）などのような不活性ガスが注入される。
【００３６】
第１電極２１１は、多角形プラズマパイプ２３０ａ，・・・の長手方向と略垂直な方向に延びている。第１電極２１１は、放電維持電圧によってプラズマ放電を維持させるための電極（サステイン電極）であり、多角形プラズマパイプ２３０ａ，・・・の内側に形成された蛍光体２２３ａ，・・・に対向して位置している。
【００３７】
第２電極２２２は、第１電極が延びている方向と略垂直な方向に延びており、多角形プラズマパイプ２３０ａ，・・・の長手方向と略平行な方向に延びている。第２電極２２２は、アドレス放電を起こすための電極（アドレス電極）であり、第１電極２１１に対向して位置している。
【００３８】
サステイン電極である第１電極２１１とアドレス電極である第２電極２２２との間に印加された電圧によって発生した真空紫外線により、各多角形プラズマパイプ（２３０ａ，２３０ｂ，２３０ｃ）の内側に形成された蛍光体（赤色（Ｒ）蛍光体２２３ａ，緑色（Ｇ）蛍光体２２３ｂ，青色（Ｂ）蛍光体２２３ｃ）が励起されると、蛍光体（赤色（Ｒ）蛍光体２２３ａ，緑色（Ｇ）蛍光体２２３ｂ，青色（Ｂ）蛍光体２２３ｃ）が発光するようになる。
【００３９】
ここでは、多角形プラズマパイプ２３０ａ，・・・の断面形状が四角形であるので、図３に示すように、第１電極２１１及び第２電極２２２と、多角形プラズマパイプ２３０ａ，・・・との接触面積が大きくなっている。これによって、駆動されるのに必要な放電開始電圧が低くなり、駆動されるための消費電力も低くなる。
【００４０】
また、図４に示すように、多角形プラズマパイプ２３０ａ，・・・は、互いに面接触で結合されるので、従来のプラズマパイプ１３０ａ，・・・に比べて、隣接する多角形プラズマパイプ２３０ｂ，・・・との接触面積を増やすことができる。これにより、多角形プラズマパイプ２３０ａ，・・・は、隣接する多角形プラズマパイプ２３０ｂ，・・・と十分な強度で結合することができるようになっている。
【００４１】
なお、多角形プラズマパイプ２３０ａ，・・・の断面形状は、四角形以外の多角形であってもよい。多角形プラズマパイプ２３０ａ，・・・の断面形状は、角の数が４以上の偶数の多角形であってもよい。この場合でも、第１電極２１１及び第２電極２２２と、多角形プラズマパイプ２３０ａ，・・・との接触面積を大きくすることができる。
【００４２】
あるいは、多角形プラズマパイプ２３０ａ，・・・の断面形状は、角の数が４以上の４の倍数の多角形であってもよい。この場合でも、第１電極２１１及び第２電極２２２と、多角形プラズマパイプ２３０ａ，・・・との接触面積を大きくすることができる。また、多角形プラズマパイプ２３０ａ，・・・と、隣接する多角形プラズマパイプ２３０ｂ，・・・との接触面積を増やすことができる。
【００４３】
＜第２実施形態＞
本発明の第２実施形態に係るプラズマディスプレイパネルを、図５を参照して説明する。図５は、複数の多角形プラズマパイプを示す図である。
【００４４】
プラズマディスプレイパネル３００は、基本的な構成は第１実施形態と同様であるが、複数の多角形プラズマパイプの構成が第１実施形態と異なる。すなわち、図５に示すように、多角形プラズマパイプ(３３０ａ，３３０ｂ)の内側に形成された蛍光体(赤色（Ｒ）蛍光体３２３ａ，緑色（Ｇ）蛍光体３２３ｂ)に断面積に比べて、多角形プラズマパイプ３３０ｃの内側に形成された蛍光体（青色（Ｂ）蛍光体３２３ｃ)の断面積が大きくなっている。ここで、多角形プラズマパイプ３３０ａの幅Ｌ１と、多角形プラズマパイプ３３０ｂの幅Ｌ２と、多角形プラズマパイプ３３０ｃの幅Ｌ３とは、互いに略等しくなっている。また、多角形プラズマパイプ３３０ａの高さＨと、多角形プラズマパイプ３３０ｂの高さＨと、多角形プラズマパイプ３３０ｃの高さＨとは、互いに略等しくなっている。そして、多角形プラズマパイプ３３０ａの断面積と、多角形プラズマパイプ３３０ｂの断面積と、多角形プラズマパイプ３３０ｃの断面積とは、互いに略等しくなっている。つまり、青色（Ｂ）蛍光体３２３ｃが塗布されている部分の厚さは、赤色（Ｒ）蛍光体３２３ａや緑色（Ｇ）蛍光体３２３ｂが塗布されている部分の厚さよりも大きくなっている。
【００４５】
ここでは、多角形プラズマパイプ３３０ｃの内側に形成された青色（Ｂ）蛍光体３２３ｃ) の量は、多角形プラズマパイプ(３３０ａ，３３０ｂ)の内側に形成された蛍光体(赤色（Ｒ）蛍光体３２３ａ，緑色（Ｇ）蛍光体３２３ｂ)の量より多くなっている。これによって、青色蛍光体の発光效率が少ないことに起因した色温度の低下を抑制することができる。このため、色温度を適切なものとすることができる。
【００４６】
多角形プラズマパイプ３３０ａ，・・・の断面形状が四角形であるので、第１電極２１１及び第２電極２２２と、多角形プラズマパイプ３３０ａ，・・・との接触面積が大きくなっている点は、第１実施形態と同様である。したがって、このようなプラズマディスプレイパネル３００によっても、駆動されるのに必要な放電開始電圧が低くなり、駆動されるための消費電力も低くなる。
【００４７】
＜第３実施形態＞
本発明の第３実施形態に係るプラズマディスプレイパネルを、図６を参照して説明する。図６は、複数の多角形プラズマパイプを示す図である。
【００４８】
プラズマディスプレイパネル４００は、基本的な構成は第１実施形態と同様であるが、複数の多角形プラズマパイプの構成が第１実施形態と異なる。すなわち、
図６に示すように、多角形プラズマパイプ４３０ａの内側に形成された蛍光体(赤色（Ｒ）蛍光体４２３ａ)の断面積に比べて、多角形プラズマパイプ４３０ｂの内側に形成された蛍光体（緑色（Ｇ）蛍光体４２３ｂ)の断面積が大きくなっている。多角形プラズマパイプ４３０ｂの内側に形成された蛍光体(緑色（Ｇ）蛍光体４２３ｂ)の断面積に比べて、多角形プラズマパイプ４３０ｃの内側に形成された蛍光体（青色（Ｂ）蛍光体４２３ｃ)の断面積が大きくなっている。
【００４９】
ここで、多角形プラズマパイプ４３０ｂの幅Ｌ２が多角形プラズマパイプ４３０ａの幅Ｌ１よりも広くなっており、多角形プラズマパイプ４３０ｃの幅Ｌ３が多角形プラズマパイプ４３０ｂの幅Ｌ２よりも広くなっており、Ｌ１<Ｌ２<Ｌ３の関係になっている。。また、多角形プラズマパイプ４３０ａの高さＨと、多角形プラズマパイプ４３０ｂの高さＨと、多角形プラズマパイプ４３０ｃの高さＨとは、互いに略等しくなっている。そして、多角形プラズマパイプ４３０ｂの断面積は、多角形プラズマパイプ４３０ａの断面積より大きくなっており、多角形プラズマパイプ４３０ｃの断面積は、多角形プラズマパイプ４３０ｂの断面積より大きくなっている。つまり、緑色（Ｇ）蛍光体４２３ｂが塗布されている部分の幅は、赤色（Ｒ）蛍光体４２３ａが塗布されている部分の幅よりも広くなっており、青色（Ｂ）蛍光体４２３ｃが塗布されている部分の幅は、緑色（Ｇ）蛍光体４２３ｂが塗布されている部分の幅よりも広くなっている。
【００５０】
ここでは、多角形プラズマパイプ４３０ｃの内側に形成された青色（Ｂ）蛍光体４２３ｃ) の量は、多角形プラズマパイプ(４３０ａ，４３０ｂ)の内側に形成された蛍光体(赤色（Ｒ）蛍光体４２３ａ，緑色（Ｇ）蛍光体４２３ｂ)の量より多くなっている。これによって、青色蛍光体の発光效率が少ないことに起因した色温度の低下を抑制することができる。このため、色温度を適切なものとすることができる。
【００５１】
多角形プラズマパイプ４３０ａ，・・・の断面形状が四角形であるので、第１電極２１１及び第２電極２２２と、多角形プラズマパイプ４３０ａ，・・・との接触面積が大きくなっている点は、第１実施形態と同様である。したがって、このようなプラズマディスプレイパネル４００によっても、駆動されるのに必要な放電開始電圧が低くなり、駆動されるための消費電力も低くなる。
【００５２】
なお、赤色（Ｒ）蛍光体４２３ａが形成された多角形プラズマパイプ４３０ａの幅Ｌ１は、緑色（Ｇ）蛍光体４２３ｂが形成された多角形プラズマパイプ４３０ｂの幅Ｌ２と同じであってもよい。
【００５３】
あるいは、赤色（Ｒ）蛍光体４２３ａが形成された多角形プラズマパイプ４３０ａの幅Ｌ１は、緑色（Ｇ）蛍光体４２３ｂが形成された多角形プラズマパイプ４３０ｂの幅Ｌ２より大きくてもよい。この場合、多角形プラズマパイプ４３０ａの幅Ｌ１が多角形プラズマパイプ４３０ｂの幅Ｌ２よりわずかに大きくされれば、赤色蛍光体の発光効率が緑色蛍光体の発光効率よりわずかに低いことに起因した色温度の低下も抑制できる。このため、色温度をさらに適切なものとすることができる。
【図面の簡単な説明】
【００５４】
【図１】一般的なプラズマディスプレイパネルの構造を概略的に示す斜視図。
【図２】従来のプラズマディスプレイパネルの構造を示す図。
【図３】本発明に第１実施形態における多角形プラズマパイプの構造を示す図。
【図４】本発明の第１実施形態に係るプラズマディスプレイパネルを示す図。
【図５】本発明の第２実施形態における複数の多角形プラズマパイプを示す図。
【図６】本発明の第３実施形態における複数の多角形プラズマパイプを示す図。
【符号の説明】
【００５５】
２００，３００，４００  プラズマディスプレイパネル
２１１  第１電極
２２２  第２電極
２２３ａ等，３２３ａ等，４２３ａ等  蛍光体
２３０ａ等，３３０ａ等，４３０ａ等  多角形プラズマパイプ
【図１】
2006093139.tif 000003
【図２】
2006093139.tif 000004
【図３】
2006093139.tif 000005
【図４】
2006093139.tif 000006
【図５】
2006093139.tif 000007
【図６】
2006093139.tif 000008